(57)【要約】  【課題】  ミスト用ガイドのシャワー板への組付回数を削減することができるシャワーヘッドを提供すること。  【解決手段】  シャワー用孔ｈとミスト用孔Ｈとが形成されたシャワー板２１を備え、前記ミスト用孔Ｈにミストを発生させるためのミスト用ガイド３０を内側から挿入してあるシャワーヘッドＤであって、前記ミスト用孔Ｈは複数のＮ個が列状に形成され、前記ミスト用ガイド３０は複数のｎ個が列状に一体的に連結した状態で形成されており、Ｎ＞ｎで且つＮはｎの倍数である。【選択図】    図１
2014079328.tif 000002
【特許請求の範囲】
【請求項１】
シャワー用孔とミスト用孔とが形成されたシャワー板を備え、前記ミスト用孔にミストを発生させるためのミスト用ガイドを内側から挿入してあるシャワーヘッドであって、
前記ミスト用孔は複数のＮ個が列状に形成され、前記ミスト用ガイドは複数のｎ個が列状に一体的に連結した状態で形成されており、Ｎ＞ｎで且つＮはｎの倍数であるシャワーヘッド。
【発明の詳細な説明】
【技術分野】
【０００１】
本発明はシャワーヘッドに関するものである。
【背景技術】
【０００２】
複数個のシャワー用孔と複数個のミスト用孔とが形成されたシャワー板を備え、前記ミスト用孔にミストを発生させるためのミストピンをシャワー板の内側から挿入してある従来のシャワーヘッドにおいては、複数個のミスト用孔それぞれにミストピンを１個ずつ単独で挿入している。例えばミスト用孔の数が３０個の場合、ミストピンのシャワー板への組付のために、作業者は、一個一個のミスト用孔に１個ずつ計３０回のミストピン挿入作業を施していた。
【発明の概要】
【発明が解決しようとする課題】
【０００３】
このように従来のシャワーヘッドでは、一つのシャワー板に例えば計３０回のミストピン組付け作業を行う必要があり作業性に劣るといった課題があった。
【０００４】
本発明は、ミストピンのシャワー板への組付回数を削減することができるシャワーヘッドを提供するものである。
【課題を解決するための手段】
【０００５】
上記目的を達成するために、本発明のシャワーヘッドは、シャワー用孔とミスト用孔とが形成されたシャワー板を備え、前記ミスト用孔にミストを発生させるためのミスト用ガイドを内側から挿入してあるシャワーヘッドであって、
前記ミスト用孔は複数のＮ個が列状に形成され、前記ミスト用ガイドは複数のｎ個が列状に一体的に連結した状態で形成されており、Ｎ＞ｎで且つＮはｎの倍数であるシャワーヘッドを特徴としている（請求項１）。
【発明の効果】
【０００６】
ミスト用孔の数が例えば３０（＝Ｎ）個の場合、従来では、作業者は３０個のミスト用孔それぞれに１個ずつミストピンを挿入する必要があり、３０回の組付け作業を行う必要があった。一方、本発明は、必要な数の３０個のミスト用ガイド（ミストピン）のうち例えば５個のミスト用ガイドを列状に一体的に連結した状態のもの（５連のミスト用ガイド）を製作することにより、これら５連のミスト用ガイド６個をシャワー板に組付けるだけで３０個のミスト用孔からミストを発生させることができる。
【０００７】
すなわち、本発明では、一回の組付作業により、例えば３０個のミスト用孔のうち例えば５個のミスト用孔それぞれにミストピンを一度に挿入することができ、シャワー板への組付回数を従来の例えば３０回から６回に減らすことができ、作業性を向上させることができる。
【０００８】
また、本発明では、部品点数を削減することができるとともに、搬送や作業中における部品の紛失を防止することができる。
【図面の簡単な説明】
【０００９】
【図１】（Ａ）は、この発明の一実施形態に係るシャワーヘッドにおける通常のシャワー水流吐水の状態を示す断面図である。（Ｂ）は、上記シャワーヘッドのシャワー板の前面を示す平面図である。（Ｃ）は、上記シャワーヘッドにおける通常のシャワー水流吐水の状態を示す断面図である。（Ｄ）は、上記シャワーヘッドにおける通常のシャワー水流吐水の状態を示す断面図である。
【図２】上記実施形態で用いるミスト用ガイドの要部を示す側面図である。
【図３】上記実施形態で用いる５連のミスト用ガイドをシャワー板に組付けてある状態をシャワー板の内側（シャワー板の後面側）から見た構成説明図である。
【図４】上記実施形態で用いる５連のミスト用ガイドの隣接する二つをシャワー板に組付けてある状態をシャワー板の外側（シャワー板の前面側）から見た構成説明図である。
【図５】上記実施形態で用いるミスト用ガイドの一部を示す側面図である。
【図６】この発明の別実施形態を示す説明図である。
【発明を実施するための形態】
【００１０】
以下、本発明の一実施形態について説明する。図１は、マッサージ用シャワー器具の一例としてのフェイスケア用シャワー器具のシャワーヘッドＤを示し、このシャワーヘッドＤは、顔をマッサージするためのミスト水流吐水と頭をマッサージするためのピンポイント水流吐水と通常のシャワー水流吐水とに切換え可能に構成されている。図２は、ミスト用ガイドが５個連結されている例（ｎ＝５）を示し、図３は、この５連のミスト用ガイドをシャワー板に組付けてある状態をシャワー板の内側（シャワー板の後面側）から見たものを示し、図４は、図３とは反対側のシャワー板の外側（シャワー板の前面側）から見た二個の隣接する５連のミスト用ガイドを示し、図５は、５連のミスト用ガイドの一部側面を示している。なお、この実施形態では、フェイスケア用シャワー器具のシャワーヘッドＤを用いて、そのミストｂで顔をマッサージし、ピンポイント水流吐水で頭をマッサージし、通常のシャワーａで顔及び頭を洗浄する。
【００１１】
図１〜図５において、シャワーヘッドＤは、シャワーホースＧを介して水栓（例えば湯水混合水栓）（図示せず）に接続されている。１は、シャワーヘッド本体で、ヘッド１ａとグリップ１ｂより構成されている。グリップ１ｂが図１（Ａ）に示すように内向きに曲がっていることで、顔側面、顔後面にシャワーを当てやすい。そして、前記グリップ１ｂの上面（表面）Ｖの曲率半径（Ｒ１）〔図１（Ａ）参照〕を１１０〜１３０ｍｍに設定して前記グリップ１ｂの上面（表面）Ｖを内向きに曲げて形成してあり、１２０ｍｍが好ましい。また、前記グリップ１ｂの下面（裏面）Ｖ’の曲率半径（Ｒ２）〔図１（Ａ）参照〕を１７０〜１９０ｍｍに設定して前記グリップ１ｂの下面（裏面）Ｖ’を内向きに曲げて形成してあり、１８０ｍｍが好ましい。また、前記グリップ１ｂの中心軸Ｘの曲率半径（ＲＡ）〔図１（Ａ）参照〕を１２０〜１８０ｍｍに設定して前記グリップ１ｂを内向きに曲げて形成してあり、中心軸Ｘの曲率半径（ＲＡ）は１３０ｍｍである。中心軸Ｘの曲率半径（ＲＡ）が１２０ｍｍよりも小さいと、グリップ１ｂが内向きに極端に曲げらることになるので、シャワーヘッドＤを例えば浴室の壁に設けたフックに掛けるときに掛かりにくくなるおそれがある。なお、図１（Ａ）において、水栓（図示せず）から供給される湯水または水の吐水流路ｉを形成するグリップ１ｂの内部上面領域の曲率半径（ＲＢ）は１３０〜１４０ｍｍであり、１３７ｍｍが好ましく、また、前記吐水流路ｉを形成するグリップ１ｂの内部下面領域の曲率半径（ＲＣ）は１２０〜１３０ｍｍであり、１２３ｍｍが好ましい。そして、図１（Ｂ）に示すようにヘッド１ａの大きさ、特にシャワー板２１の平面視円形の前面２１ａの面積を通常のマッサージ機能付ハンドシャワのシャワー板の平面視円形の前面の面積（２０〜３８ｃｍ2 ）よりも大きくすることにより、好適なシャワー効果を得ることができる。前記シャワー板２１の前面２１ａの面積を４０〜５０ｃｍ2 に設定している。
【００１２】
２は、スプリング、４は、切換ハンドル、５は、オーリング、６は、切換部材、７は、十字穴付のタッピングねじ、８は、スプリング、９は、オーリング、１０は、切換弁である。１１は、Ｙパッキン、１２は、切換弁１０をガイドする切換ガイド部材、１３は、オーリング、１４は、シートパッキン、１５は、切換ディスク、１６，１７は、オーリング、１８は、流路パーツ、２０は、オーリング、２１は、シャワー用孔ｆとミスト用孔Ｈとピンポイント用孔ｈとが形成されたシャワー板、２２は、前記各モードを表示するための表示リング、２３は、ストッパー、２４は、オーリング、３０は、ミスト用ガイド（後述する）である。そして、シャワー板２１は、ストッパー２３によってシャワーヘッド本体１の前面にミスト水流吐水状態とピンポイント水流吐水状態と通常のシャワー水流吐水状態の切換えが可能なように固定されている。また、ミスト水流吐水モードでは、切換弁１０に設けられている弁孔Ａと切換ディスク１５に設けられている連通孔Ｂを介して、水栓（図示せず）から供給される湯水または水の吐水流路ｉと、シャワー板２１の平面視円形の前面２１ａに形成されている複数のミスト水流吐水穴Ｈとを連通させるためのミスト水流吐水流路（図示せず）がシャワーヘッド本体１内に形成されている。
【００１３】
〔ミスト水流吐水モード〕
ミスト水流による肌に負担のない充分なすすぎをすることで、洗顔料の残留による肌荒れやニキビを予防するため、使用者は、フェイスケア用シャワー器具としてのフェイスケア用シャワーヘッドＤを用いてミストｂ〔図１（Ｃ）に二点鎖線で示す矢印〕でフェイスケアを行う。そして、流径の細かいミストｂを形成するためシャワー板２１の平面視円形の前面２１ａに直径０．５ｍｍ〜１．５ｍｍの穴を開けている。この実施形態では、流量確保のために複数個のミスト水流吐水穴（ミスト用孔）Ｈがシャワー板２１の前面２１ａの一つの円周上に等間隔に配置されている。その穴Ｈの数は、この発明では２５個〜３５個が好ましく、この実施形態では３０個（Ｎ＝３０）に設定している。また、ミストｂの広がりを良くするため（ミストｂの広がりを広範囲にするため）前記円周上に均一に前記ミスト水流吐水穴Ｈを配置している。これにより、流径の細かいミスト水流吐水を行いながら給湯器の着火不具合を発生させない吐水量を維持している。その吐水量としては、３．０Ｌ／min （リットル／分）〜８Ｌ／min （リットル／分）が好ましく、５．２Ｌ／min （リットル／分）がより好ましい。このように、この実施形態では、ミストｂの流径を細かくして広範囲にミストｂを吐出することで、水の勢いが分散され、目・鼻腔・口に当たる刺激を軽減し、肌に負担のないすすぎができる。例えば洗顔の際、手洗いだと目もとや鼻もとなど凹凸の部分に洗顔料が残る場合があるが、ミストｂの流径を細かくして広範囲にミストｂを吐出することで、前記凹凸の部分にミストｂが入り込めるので、確実に洗顔料の残留物を洗い落とすことができる。さらに、円周角で１８０°の位置にあるミスト水流吐水穴Ｈの中心Ｏ’およびミスト水流吐水穴Ｈの中心Ｏ’’間の径（前記中心Ｏ’からシャワーキャップ（シャワー板）２１の前面２１ａの中心Ｏを通りミスト水流吐水穴Ｈの中心Ｏ’’に至る長さ）Ｌは、５５ｍｍ〜９０ｍｍが好ましく、７４．７ｍｍがより好ましい。また、切換ハンドル４は、図１（Ｂ）に示すように、そのリング部分４ａがヘッド１ａの外周縁からが外方に突出しているので、使用時にヘッド１ａの部分を握り込んでも、使い勝手がよい。
【００１４】
以下、この発明の特徴的構成について説明する。
【００１５】
３０は、ミスト水流吐水穴（以下、単にミスト用孔という）Ｈにミストを発生させるためのピン状のミスト用ガイドで、５個が円弧の列状に一体的に連結した状態で形成されてあり、図３に示すように、シャワー板２１の後面側（内側）２１ｂから挿入してある。前記５連のミスト用ガイド３０は、樹脂製である。そして、この実施形態では、３０個（Ｎ＝３０）のミスト用孔Ｈにミストｂを発生させるため６個（ｎ＝６）の５連ミスト用ガイド３０がシャワー板２１に組付けられている。６個の前記５連のミスト用ガイド３０は同一形状をしており、それぞれ１２°の円周角Ｃをなして隣接配置された５個のミスト用ガイド３０が円弧状の連結板３２から垂下状態で連設されている。５個のミスト用ガイド３０と連結板３２は一体的に形成されている。また、ミスト用ガイド３０は、上から下に向かって順に、連結板３２の下面３２ａから下方に垂下状態で連設された大径円柱部３３、テーパ部３４、小径円柱部３５および二条ねじ部３６が同軸上に形成されている。図２において、３７は、二条ねじ部３６のねじ山である。ねじ山３７，３７間の幅Ｋ’’は例えば０．３ｍｍであり、ねじ山３７の幅Ｋ’’’は例えば０．８ｍｍであり、直径Ｅは２．５ｍｍ、直径Ｅ’は３．４ｍｍである。
【００１６】
図１（Ｃ）において、３７は、シャワー板２１の外周部分におけるシャワー板後面２１ｂに形成された縦断面略Ｕ字形の環状溝で、ミスト用ガイド３０の大径円柱部３３の直径よりも大きな長さの幅を持っており、その環状溝３７の中央に、ミスト用ガイド３０の連結板３２と大径円柱部３３とテーパ部３４と小径円柱部３５が位置しており、環状溝３７およびこれら部材３２，３３，３４，３５間には水流が通過可能な空隙Ｓが形成されている。そして、ミスト用孔Ｈは、図１（Ｃ）に示すように、上流側から下流側に向かって、ミスト用ガイド３０の二条ねじ部３６が嵌込み可能な嵌込孔部（入口部）４０、スロート部（最小流路断面積を持つ部分）４１および出口部４２よりなる。嵌込孔部（入口部）４０は上流側に位置する環状溝３７に連通している。また、出口部４２は、嵌込孔部（入口部）４０の径と同等か、あるいはそれよりも大径である。
【００１７】
而して、シャワー板の後面２１ｂに形成された環状溝３７からミスト用ガイド３０の二条ねじ部３６を予め嵌込孔部（入口部）４０に嵌込んでおく。この際、前記５連のミスト用ガイド３０は５個のミスト用孔Ｈに一度に挿入することができる。そして、この挿入作業を続いて６回繰り返した後、ミスト用ガイド３０が組込まれたシャワー板２１を、図１（Ｃ）に示すように、段差５０付きストッパー２３の内側に嵌込み、この状態でストッパー２３の外面に形成されたねじ５１を介してシャワーヘッド本体１側にストッパー２３を締付け固定する。
【００１８】
なお、この実施形態では３０個のミスト用孔Ｈに対して５連のミスト用ガイド３０を６個用意したものを示したが、この発明はこれに限定されるものではなく、金型の抜きを考慮して３連、６連、１０連、１５連など適宜設定されうる。また、ミスト用孔Ｈの数もこの実施形態のように３０個に限定されるものではなく、適宜設定されうるもので、例えばミスト用孔Ｈの数を２４個とした場合、ミスト用ガイド３０は２連、３連、４連、６連、８連、１２連のものなどが用いられうる。
【００１９】
また、この実施形態では円周上に複数個のミスト用孔を適宜間隔で設けたものを示したが、この発明は縦または横一列に複数個のミスト用孔を適宜間隔で設けたものにおいても適用可能である。例えば２０個のミスト用孔を縦または横一列に設けた場合、２個の１０連のミスト用ガイドを用いることができる。この場合、例えば縦または横一列に設けたミスト用孔の数Ｎと同じ数ｎのミスト用ガイドを列状に一体的に連結した状態で形成にすることも考えられる。又、ミスト用孔が放射状に設けられている場合には、図６に示すようなミスト用ガイド３０’が用いられうる。尚、図６において３２’は連結版である
【符号の説明】
【００２０】
２１            シャワー板
３０            ミスト用ガイド
ｆ            シャワー用孔
Ｈ            ミスト用孔
ｂ            ミスト
Ｄ            シャワーヘッド
【図１】
2014079328.tif 000003
【図２】
2014079328.tif 000004
【図３】
2014079328.tif 000005
【図４】
2014079328.tif 000006
【図５】
2014079328.tif 000007
【図６】
2014079328.tif 000008